(57)【特許請求の範囲】
【請求項１】
表示部を備えた頭部装着型ディスプレイにおける前記表示部の位置調整ガイダンス方法であって、
調整方法を示す情報と、前記調整方法を示す情報の後に再生され、調整に関する指標を示す情報とを含む一連の位置調整ガイダンスを再生する再生ステップを備えることを特徴とする位置調整ガイダンス方法。
【請求項２】
請求項１に記載の位置調整ガイダンス方法において、
前記調整方法を示す情報は、前記表示部をユーザの眼前近傍に配置するための第１の調整手順情報と、前記第１の調整手順情報の後に再生され、前記ユーザの眼前近傍において前記表示部の位置を正確に調整するための第２の調整手順情報とからなる
ことを特徴とする位置調整ガイダンス方法。
【請求項３】
請求項２に記載の位置調整ガイダンス方法において、
前記第１の調整手順情報に関する前記位置調整ガイダンスを示す情報の中には、前記再生ステップにおいて再生される前記位置調整ガイダンスを、前記頭部装着型ディスプレイ以外の外部出力機器に出力するように前記位置調整ガイダンスの再生装置を制御する制御情報を有する
ことを特徴とする位置調整ガイダンス方法。
【請求項４】
請求項１から請求項３の何れか１項に記載の位置調整ガイダンス方法において、
前記位置調整ガイダンスは、再生停止情報を含み、
前記再生停止情報は、前記位置調整ガイダンスを示す情報を構成する各調整手順情報毎に含まれる
ことを特徴とする位置調整ガイダンス方法。
【請求項５】
請求項１から請求項３の何れか１項に記載の位置調整ガイダンス方法において、
前記位置調整ガイダンスは、再生停止情報を含み、
前記再生停止情報は、前記位置調整ガイダンスを示す情報を構成する各調整手順情報毎の再生所要時間を示す時間情報である
ことを特徴とする位置調整ガイダンス方法。
【発明の詳細な説明】
【技術分野】
【０００１】
本発明は、表示部を備えた装着型ディスプレイにおける表示部の位置調整ガイダンス方法に関する。
【背景技術】
【０００２】
近年、表示素子の小型化などにより、ユーザの頭部に装着可能な頭部装着型ディスプレイなどの表示装置が考えられている。このような表示装置は、表示部を適切な位置に調整して使用するのが好ましい。そこで、例えば、特許文献１の発明では、使用時に画像表示部が下を向いてしまうのを防ぐ技術が提案されている。
【特許文献１】国際公開番号  ＷＯ２００５／０６４９３０号公報
【発明の開示】
【発明が解決しようとする課題】
【０００３】
しかし、実際の使用時に表示部を適切な位置に調整する際には、複数箇所について精細な調整が必要となる。このような表示部の位置の調整においては、調整に要する時間や調整に関する知識がユーザによって大きく異なる。
本発明は、表示部を備え、ユーザの頭部に装着可能な頭部装着型ディスプレイにおいて、ユーザに応じた位置調整ガイダンスを行うための位置調整ガイダンス方法を実現することを目的とする。
【課題を解決するための手段】
【０００４】
本発明の位置調整ガイダンス方法は、表示部を備えた頭部装着型ディスプレイにおける前記表示部の位置調整ガイダンス方法であって、調整方法を示す情報と、前記調整方法を示す情報の後に再生され、調整に関する指標を示す情報とを含む一連の位置調整ガイダンスを再生する再生ステップを備えることを特徴とする。
【０００５】
なお、前記調整方法を示す情報は、前記表示部をユーザの眼前近傍に配置するための第１の調整手順情報と、前記第１の調整手順情報の後に再生され、前記ユーザの眼前近傍において前記表示部の位置を正確に調整するための第２の調整手順情報とからなっても良い。
【０００６】
また、前記第１の調整手順情報に関する前記位置調整ガイダンスを示す情報の中には、前記再生ステップにおいて再生される前記位置調整ガイダンスを、前記頭部装着型ディスプレイ以外の外部出力機器に出力するように前記位置調整ガイダンスの再生装置を制御する制御情報を有しても良い。
【０００７】
また、前記位置調整ガイダンスは、再生停止情報を含み、前記再生停止情報は、前記位置調整ガイダンスを示す情報を構成する各調整手順情報毎に含まれても良い。
【０００８】
また、前記位置調整ガイダンスは、再生停止情報を含み、前記再生停止情報は、前記位置調整ガイダンスを示す情報を構成する各調整手順情報毎の再生所要時間を示す時間情報であっても良い。
【発明の効果】
【００１１】
本発明によれば、表示部を備え、ユーザの頭部に装着可能な頭部装着型ディスプレイにおいて、ユーザに応じた位置調整ガイダンスを行うための位置調整ガイダンス方法を実現することができる。
【発明を実施するための最良の形態】
【００１２】
＜第１実施形態＞
以下、図面に基づいて本発明の実施形態について説明する。
図１は、位置調整ガイダンス用データを記憶した頭部装着型ディスプレイ１００の外観図である。頭部装着型ディスプレイ１００は、図１に示すように本体１０１とリモートコントローラ１０２とターミナル１０３とから構成される。本体１０１とリモートコントローラ１０２とは、ケーブル１４０により接続される。また、リモートコントローラ１０２とターミナル１０３とは、ケーブル１４１により接続される。なお、ケーブル１４０およびケーブル１４１に代えて、無線で本体１０１とリモートコントローラ１０２とターミナル１０３とを接続する構成でも良い。
【００１３】
本体１０１は、通信部１１０、スピーカ１１１、表示部１１２、支持アーム１１２ａ、スライド部材１１２ｂ、球面軸受け１１２ｃを備える。表示部１１２は、透過型ＬＣＤや有機ＥＬディスプレイなどの不図示の画像表示素子と画像表示素子の映像を拡大してユーザの眼に投影する不図示の光学系とを備える。なお、画像表示素子として、反射型ＬＣＤや、自発光型の素子を２次元的に配列したものなどの画像表示素子を用いても良い。
【００１４】
表示部１１２は、スライド部材１１２ｂおよび球面軸受け１１２ｃを介して、支持アーム１１２ａに支持される。支持アーム１１２ａは、ユーザ操作に基づいて、図１の矢印ａの方向にスライドして移動する。また、支持アーム１１２ａは、ユーザ操作に基づいて、図１の軸ｂを中心として、矢印ｃの方向に回転可能である。表示部１１２および支持アーム１１２ａは、画像観察時には、図１の実線で示す位置に配置される。一方、表示部１１２および支持アーム１１２ａは、画像観察時以外の場合には、頭頂部方向に跳ね上げられ、図１の点線で示す位置に配置される。この結果、表示部１１２は、画像観察時以外の場合にはユーザの頭頂部近傍に配置され、ユーザの視界を遮らない。なお、前述した矢印ａの方向のスライドと、矢印ｃの方向の回転とにより、表示部１１２の位置をユーザの眼前に正しく調整することができる。
【００１５】
表示部１１２は、ユーザ操作に基づいて、さらに詳細な位置および傾きなどを調整可能である。図２に、表示部１１２が有する画像表示素子と、ユーザの眼との関係について示す。画像表示素子は、図２Ａの側面図に示すように、球面軸受け１１２ｃにより矢印ｄの方向に回転可能であるとともに、図２Ｂの上面図に示すように、球面軸受け１１２ｃにより矢印ｅの方向にも回転可能である。したがって、ユーザの眼を基準とした傾きを調整可能である。また、画像表示素子は、図２Ｃの正面図に示すように、スライド部材１１２ｂにより矢印ｆの方向にスライド可能であり、ユーザの眼を基準とした左右位置を調整可能である。また、画像表示素子は、図２Ｄの正面図に示すように、球面軸受け１１２ｃにより矢印ｇの方向に回転可能である。したがって、ユーザの眼の光軸と垂直な面内における傾きを調整可能である。なお、図２を用いて説明した各調整を実現するための本体１０１および表示部１１２の構成は、公知技術と同様であるため説明を省略する。
【００１６】
リモートコントローラ１０２は、図１に示すように、前面に電源ボタン、十字ボタン、メニューボタンなどの操作部１２０を備えるとともに、上面に通信部１２１を備える。また、ターミナル１０３は、図１に示すように、上面に通信部１３１を備える。なお、ターミナル１０３には、液晶モニタなどの表示部やボタンなどの操作部を備えても良い。また、ターミナル１０３に、記録媒体を着脱可能な構成としても良い。
【００１７】
図３は、頭部装着型ディスプレイ１００の機能ブロック図である。
リモートコントローラ１０２は、各部を制御する制御部１２２を備える。制御部１２２は、操作部１２０の状態を検知するとともに、通信部１２１と相互に接続される。
ターミナル１０３は、表示部１１２の表示を制御する表示制御部１３２、ケーブルなどを介してコンピュータやＴＶモニタなどの外部機器と接続する接続部１３３、表示部１１２に表示する画像情報やスピーカ１１１に出力する音声情報に加えて、後述する位置調整ガイダンスに関する情報を記憶する記憶部１３４、記憶部１３４からの情報の読み出しや読み出した情報の再生処理を行う再生部１３５の各部を備えるとともに、各部を制御する制御部１３６を備える。
【００１８】
制御部１３６は、通信部１３１、記憶部１３４、再生部１３５の各部と相互に接続される。また、表示制御部１３２は、通信部１３１を介して制御部１３６と相互に通信可能である。また、再生部１３５は、通信部１３１、表示制御部１３２、接続部１３３、記憶部１３４の各部と相互に接続される。さらに、表示制御部１３２と接続部１３３とは相互に接続され、表示制御部１３２の出力は通信部１３１に接続される。
【００１９】
制御部１３６は、通信部１３１および通信部１２１を介してリモートコントローラ１０２から送られる指示にしたがって、通信部１３１、通信部１２１、通信部１１０を介してスピーカ１１１に対する音声の再生や、表示部１１２に対する画像の表示を行うとともに、接続部１３３を介して、外部機器への音声や画像の出力を行う。
以上説明した構成の頭部装着型ディスプレイ１００における、位置調整ガイダンスについて説明する。
【００２０】
頭部装着型ディスプレイ１００の記憶部１３４は、位置調整ガイダンスに関する情報として、図４に示す構造のデータを予め記憶している。位置調整ガイダンスに関する情報は、図４に示すように、複数の調整手順情報からなり、停止情報を含む一連のデータを有する。
制御部１３６は、再生部１３５を制御してこのデータを左側から順番に読み出し、表示制御部１３２により適当な処理を施した後に、通信部１３１、通信部１２１、通信部１１０を介して表示部１１２またはスピーカ１１１に出力して位置調整ガイダンスを行う。
【００２１】
本実施形態の位置調整ガイダンス用データは、図４に示すように、第１調整手順情報から第５調整手順情報の５つの調整手順情報により構成される。各調整手順情報は、それぞれの手順の最後に停止情報を含む。第１調整手順情報および第２調整手順情報は、表示部１１２をユーザの眼前近傍に配置するための調整手順を示す情報であり、第３調整手順情報から第５調整手順情報は、ユーザの眼前近傍において表示部１１２の位置を正確に調整するための調整手順を示す情報である。なお、第１調整手順情報から第５調整手順情報の再生順序は、各部の位置調整を最適な順序に配列したものである。したがって、この順番で調整を行うことにより、初心者であっても効率良く表示部１１２の位置調整を行うことができる。
【００２２】
位置調整ガイダンス時の制御部１３６の動作と、各調整手順情報の詳細とについて、図５および図６を用いて説明する。なお、図５および図６中のＧ１Ａ〜Ｇ５Ｂは、図４中のＧ１Ａ〜Ｇ５Ｂと対応する。各調整手順情報は、調整方法を示す情報と、調整に関する指標を示す情報と、停止情報とを有する。
制御部１３６は、再生部１３５を介して記憶部１３４から、第１調整手順情報に関するデータを読み出し、各部を介して表示部１１２およびスピーカ１１１に出力する。第１調整手順情報は、表示部１１２をユーザの眼前に配置するための調整手順をコンテンツとし、調整方法を示す情報である画像情報および音声情報（Ｇ１Ａ）と、調整に関する指標を示す情報（Ｇ１Ｂ）と、停止情報とを有する。Ｇ１Ａの画像情報および音声情報は、支持アーム１１２ａを調整して、表示部１１２をユーザの眼前に配置することを促す文章、その音声、調整する位置や調整方法を示す図または画像から構成される。第１調整手順情報において、制御部１３６は、Ｇ１Ａの画像を表示部１１２に表示した後に、Ｇ１Ｂの画像を表示し、停止情報にしたがって、Ｇ１Ｂの画像の表示終了時に一時停止する。なお、ある調整手順情報の位置調整ガイダンス用データの再生中に、ユーザにより移行指示を受け付けた場合には、その調整手順情報の再生を中断して、次の調整手順情報の再生を行うのが好ましい。また、移行指示は、リモートコントローラ１０２の操作部１２０を介して行われる。移行指示には、通常一時停止解除に使用される再生ボタンなどを利用しても良いし専用のボタンを操作部１２０に設けても良い。
【００２３】
そして、制御部１３６は、ユーザにより次の調整手順情報の再生指示が行われるまで待機し、再生指示が行われると第２調整手順情報を再生する。制御部１３６は、再生部１３５を介して記憶部１３４から、第２調整手順情報に関するデータを読み出し、各部を介して表示部１１２に出力する。第２調整手順情報は、表示部１１２の前後位置を調整するための調整手順をコンテンツとし、調整方法を示す情報である画像情報および音声情報（Ｇ２Ａ）と、調整に関する指標を示す情報（Ｇ２Ｂ）と、停止情報とを有する。Ｇ２Ａの画像情報および音声情報は、支持アーム１１２ａを調整して、表示部１１２の前後位置を調整することを促す文章、その音声、調整する位置や調整方法を示す図または画像から構成される。第２調整手順情報において、制御部１３６は、Ｇ２Ａの画像を表示部１１２に表示した後に、Ｇ２Ｂの画像を表示し、停止情報にしたがって、Ｇ２Ｂの画像の表示終了時に一時停止する。そして、制御部１３６は、ユーザにより次の調整手順情報の再生指示が行われるまで待機し、再生指示が行われると第３調整手順情報を再生する。
【００２４】
制御部１３６は、第３調整手順情報から第５調整手順情報の再生についても、第１調整手順情報および第２調整手順情報の再生と同様の処理を行う。ただし、第３調整手順情報および第４調整手順情報は、表示部１１２の傾きを調整するための調整手順をコンテンツとし、Ｇ３ＡおよびＧ４Ａ（調整方法を示す画像情報および音声情報）の画像情報および音声情報は、表示部１１２を調整して、表示部１１２の傾きを調整することを促す文章、その音声、調整する位置や調整方法を示す図または画像から構成される。また、第５調整手順情報は、表示部１１２のユーザの眼を基準とした左右位置の位置を調整するとともに、ユーザの眼の光軸と垂直な面内における傾きを調整するための調整手順をコンテンツとし、Ｇ５Ａ（調整方法を示す画像情報および音声情報）の画像情報および音声情報は、表示部１１２を調整して、表示部１１２の左右位置および傾きを調整することを促す文章、その音声、調整する位置や調整方法を示す図または画像から構成される。
【００２５】
そして、制御部１３６は、第５調整手順情報のＧ５Ａの画像を表示部１１２に表示した後に、Ｇ５Ｂの画像を表示し、停止情報にしたがって、Ｇ５Ｂの画像の表示終了時に一時停止すると、一連の位置調整ガイダンスを終了する。
以上説明したように、第１実施形態によれば、表示部を備えた頭部装着型ディスプレイにおける表示部の位置調整ガイダンス用データにおいて、位置調整ガイダンス用データは、再生停止情報を含む一連の位置調整ガイダンスを示す情報からなる。したがって、ユーザに応じた位置調整ガイダンスを行うことができる。その結果、ユーザは、位置調整ガイダンスにしたがって、表示部１１２の適切な位置調整を行うことができる。
【００２６】
また、第１実施形態によれば、再生停止情報は、位置調整ガイダンスを示す情報を構成する各調整手順情報毎に含まれる。したがって、各調整手順情報毎に、ユーザが調整に要する時間に合わせた位置調整ガイダンスを行うことができる。
また、第１実施形態によれば、表示部をユーザの眼前近傍に配置するための第１の調整手順情報と、第１の調整手順情報の再生後に再生され、ユーザの眼前近傍において表示部の位置を正確に調整するための第２の調整手順情報とからなる。したがって、ユーザは効率良い表示部の位置調整が可能となる。
【００２７】
また、第１実施形態によれば、位置調整ガイダンス用データを構成する各調整手順情報は、それぞれ、調整方法を示す情報と、調整方法を示す情報の後に再生され、調整に関する指標を示す情報とを有する。したがって、まず、ユーザに調整方法を確認させた後に、指標を用いた調整を行わせることにより、ユーザは適切な位置調整を行うことができる。
なお、第１実施形態では、一連の位置調整ガイダンスを構成する調整手順情報毎に再生停止情報を含む例を示したが、一連の位置調整ガイダンスの各調整手順情報とは別に再生停止情報を有する構成としても良い。例えば、再生停止情報として、位置調整ガイダンスを構成する各調整手順情報毎の再生所要時間を示す時間情報を含み、再生所要時間に応じて位置調整ガイダンスを停止する構成とすることにより、第１実施形態と同様の効果を得ることができる。
【００２８】
＜第２実施形態＞
以下、図面を用いて本発明の第２実施形態について説明する。第２実施形態では、第１実施形態と異なる部分についてのみ説明する。
第２実施形態の位置調整ガイダンス用データを記憶した頭部装着型ディスプレイは、第１実施形態で説明したの頭部装着型ディスプレイ１００と同様の構成を備える。したがって、頭部装着型ディスプレイの構成の図示および説明を省略し、以下では、第１実施形態の頭部装着型ディスプレイ１００と同様の符号を用いて説明する。
【００２９】
頭部装着型ディスプレイ１００の記憶部１３４は、位置調整ガイダンスに関する情報として、図７に示す構造のデータを予め記憶している。位置調整ガイダンスに関する情報は、図７に示すように、複数の調整手順情報からなる。複数の調整手順情報は、図７に示すように、Ｇ１Ａ〜Ｇ５Ｂの各調整手順情報と、Ｇ１Ａ〜Ｇ５Ｂのそれぞれに対応する制御情報とを含む。制御情報には、各調整手順情報の再生順序を規定する情報や、一時停止などの再生に関する制御情報が含まれる。また、図７中のＧ１Ａ〜Ｇ５Ｂは、図５および図６中のＧ１Ａ〜Ｇ５Ｂと対応する。本実施形態の位置調整ガイダンス用データは、第１実施形態と同様に、第１調整手順情報から第５調整手順情報の５つの調整手順情報により構成される。各調整手順情報の詳細は、第１実施形態と同様であるため説明を省略する。
【００３０】
制御部１３６は、再生部１３５を制御してこの情報を順次読み出し、Ｇ１Ａ〜Ｇ５Ｂの各調整手順情報に対して表示制御部１３２により適当な処理を施した後に、通信部１３１、通信部１２１、通信部１１０を介して表示部１１２およびスピーカ１１１に出力して位置調整ガイダンスを行う。
制御部１３６は、再生部１３５を介して、まず、Ｇ１Ａの調整手順情報とＧ１Ａの制御情報とを再生部１３５を制御して読み出す。最初にこれらの情報を読み出すことは予め定められている。そして、制御部１３６は、Ｇ１Ａ制御情報にしたがって、Ｇ１Ａの調整手順情報を再生する。
【００３１】
次に、制御部１３６は、Ｇ１Ａ制御情報にしたがって、Ｇ１Ｂの調整手順情報とＧ１Ｂ制御情報とを再生部１３５を制御して読み出す。そして、制御部１３６は、Ｇ１Ｂ制御情報にしたがって、Ｇ１Ｂの調整手順情報を再生する。
制御部１３６は、同様にして、各制御情報にしたがって、Ｇ２ＡからＧ５Ｂの調整手順情報を順次読み出し、再生する。なお、ある調整手順から次の調整手順への移行については、第１実施形態と同様に行われる。
【００３２】
以上説明したように、第２実施形態によれば、表示部を備えた頭部装着型ディスプレイにおける表示部の位置調整ガイダンス用データにおいて、各々が位置調整ガイダンスの一部を保持する調整手順情報群と、調整手順情報群に含まれる各調整手順情報の再生順序を規定する制御情報とを有する。したがって、ユーザに応じた位置調整ガイダンスを行うことができる。その結果、ユーザは、位置調整ガイダンスにしたがって、表示部１１２の適切な位置調整を行うことができる。
【００３３】
また、第２実施形態によれば、制御情報は、位置調整ガイダンス用データを構成する調整手順情報の内容に応じて決定される。したがって、各部の位置調整を最適な順序に配列し、効率の良い表示部の位置調整が可能となる。
また、第２実施形態によれば、表示部をユーザの眼前近傍に配置するための第１の調整手順情報と、ユーザの眼前近傍において表示部の位置を正確に調整するための第２の調整手順情報とからなり、制御情報において、第２の調整手順情報の再生順序は、第１の調整手順情報の再生順序よりも後である。したがって、効率の良い表示部の位置調整が可能な位置調整ガイダンスを行うことができる。
【００３４】
また、第２実施形態によれば、位置調整ガイダンス用データを構成する各調整手順情報は、それぞれ、調整方法を示す情報と、調整に関する指標を示す情報とを有し、制御情報において、調整に関する指標を示す情報の再生順序は、調整方法を示す情報の再生順序よりも後である。したがって、まず、ユーザに調整方法を確認させた後に、指標を用いた調整を行わせることにより、ユーザは適切な位置調整を行うことができる。
【００３５】
また、第２実施形態によれば、制御情報は、個々の調整手順情報に含まれる映像を表示した状態を維持する制御情報を有する。したがって、各調整手順毎に、ユーザが調整に要する時間に合わせた位置調整ガイダンスを行うことができる。
なお、第２実施形態では、制御情報として、各コンテンツの再生順序を規定する情報と、一時停止に関する制御情報とを含む例を示したが、他の情報を用いても良い。例えば、制御情報としてファイル名や情報データ作成日時などを用い、これらの情報にしたがって再生順序を規定する構成とすることにより、第２実施形態と同様の効果を得ることができる。
【００３６】
また、上記各実施形態では、表示部１１２を用いて位置調整ガイダンスを行う例を示したが、頭部装着型ディスプレイ１００を接続部１３３を介してＴＶモニタなどの表示機器（外部機器）に接続し、表示機器を用いて位置調整ガイダンスを行う構成としても良い。例えば、図５および図６で説明した各調整手順情報のうち、表示部１１２をユーザの眼前近傍に配置する調整手順情報（第１調整手順および第２調整手順）の再生を、表示機器を用いて行うことにより、表示部をユーザの眼前近傍に配置するまでの間に、表示部を利用した位置調整ガイダンスを行うことが困難な場合にも、適切な位置調整ガイダンスを行うことができる。なお、表示部１１２を用いて位置調整ガイダンスを行うか表示機器を用いて位置調整ガイダンスを行うかの判別は、ユーザ指示に応じて行う構成としても良いし、位置調整ガイダンスに関する情報のデータに、位置調整ガイダンスに関する情報の出力先などの判別に関わる情報を有する構成としても良い。また、表示機器を用いて位置調整ガイダンスを行う場合には、表示部１１２の表示をオフする構成としても良いし、表示機器と表示部１１２の両方に表示を行う構成としても良い。表示機器と表示部１１２の両方に表示を行う場合には、それぞれ異なる調整に関する指標を表示することにより、両眼を用いた調整を行うことも可能である。
【００３７】
また、上記各実施形態では、表示部１１２を用いた位置調整ガイダンスについて説明したが、スピーカ１１１を用いた音声ガイダンスによる位置調整ガイダンスについても同様に本発明を適用することができる。また、本実施形態で説明した表示部１１２を用いた位置調整ガイダンスにスピーカ１１１を用いた音声ガイダンスによる位置調整ガイダンスを組み合わせる構成としても良い。音声による位置調整ガイダンスを組み合わせる場合には、表示部１１２に表示する画像と同期した音声情報を再生すれば良い。そして、表示を一時停止する際には、例えば、音声を繰り返し再生する構成とすれば良い。
【００３８】
また、上記各実施形態では、頭部装着型ディスプレイ１００の記憶部１３４に位置調整ガイダンスに関する情報を予め記憶する例を示したが、本発明はこの例に限定されない。例えば、位置調整ガイダンスに関する情報を記録媒体やコンピュータなどから取得する構成としても良い。また、インターネットに接続したコンピュータなどを介して、位置調整ガイダンスに関する情報を取得する構成としても良い。何れの場合も、位置調整ガイダンスに関する情報として、再生に関する制御プログラムをともに取得し、制御部１３６の制御プログラムを更新する構成とするのが好ましい。
【００３９】
また、上記各実施形態において、各位置調整ガイダンスを行うタイミングについては、頭部装着型ディスプレイ１００の電源がＯＮされたタイミングでも良いし、ユーザにより指定されるタイミングでも良い。
また、上記各実施形態において説明した位置調整ガイダンスの内容は、一例であり、調整方法を示す文章、図、画像や指標画像はこの例に限定されない。例えば、調整方法を示す文章、図、画像や指標画像は、動画像であっても良いし、静止画像であっても良い。
【００４０】
また、上記各実施形態においては、各調整手順情報の再生終了時に表示を一時停止する例を示したが、一時停止する代わりに、その調整手順情報の一部または全部を繰り返し再生する構成としても良い。また、ユーザ指示にしたがって、繰り返し再生を行う構成としても良い。
また、上記各実施形態で説明した構成以外の頭部装着型ディスプレイにも本発明を同様に適用することができる。例えば、第１実施形態および第２実施形態の頭部装着型ディスプレイのように表示部を頭頂部方向に跳ね上げる代わりに、表示部をスライド式に出し入れする構成の頭部装着型ディスプレイにも本発明を同様に適用することができる。また、スピーカ１１１近傍に画像表示素子を備え、ミラーやファイバーなどの光学素子を用いて表示部１１２の位置に像を形成する構成の頭部装着型ディスプレイにも本発明を同様に適用することができる。また、本実施形態で説明したターミナルと本体とが一体となった頭部装着型ディスプレイにも本発明を同様に適用することができる。
【００４１】
また、本実施形態では、片側のみに表示部を備える例を示したが、両側に表示部を備える頭部装着型ディスプレイにも同様に本発明を適用することができる。両側に表示部を備える頭部装着型ディスプレイにおいては、左右眼それぞれに適した指標などを用意すれば良い。
【図面の簡単な説明】
【００４２】
【図１】頭部装着型ディスプレイ１００の外観図である。
【図２】表示部１１２の位置調整について説明する図である。
【図３】頭部装着型ディスプレイ１００の機能ブロック図である。
【図４】データの構造について説明する図である。
【図５】位置調整ガイダンス用データについて説明する図である。
【図６】位置調整ガイダンス用データについて説明する図である（続き）。
【図７】データ構造について説明する別の図である。
【符号の説明】
【００４３】
１００…頭部装着型ディスプレイ，１１１…スピーカ，１１２…表示部，１１２ａ…支持アーム，１１２ｂ…スライド部材，１１２ｃ…球面軸受け，１３２…表示制御部，１３３…接続部，１３４…記憶部，１３５…再生部，１３６…制御部
【図１】
0004618177.tif 000002
【図２】
0004618177.tif 000003
【図３】
0004618177.tif 000004
【図４】
0004618177.tif 000005
【図５】
0004618177.tif 000006
【図６】
0004618177.tif 000007
【図７】
0004618177.tif 000008